(57)【要約】【課題】本体に対してＡＤＦフレームを開閉自在とした画像読取装置において、ＡＤＦフレームに反り等が生じても安定して位置決めを行えるようにする。【解決手段】スキャナ本体１０３に対して上下動自在に備えられるスライド基部１２と、このスライド基部１２に枢支されることで前記スキャナ本体１０３に対して開閉可能なＡＤＦフレーム１０９と、このＡＤＦフレーム１０９内に配置されるオートドキュメントフィーダ１０７と、このオートドキュメントフィーダ１０７により搬送される読取原稿を読み取るスキャナユニット２１と、を備える。前記ＡＤＦフレーム１０９には、当該ＡＤＦフレーム１０９を閉じたときにスキャナ本体１０３側に接触する位置決め突起３１，３２を、前記ＡＤＦフレーム１０９の回動支点に近い側と遠い側の少なくとも２箇所に備える。前記スライド基部１２には、その上下動ストロークの下限を調整可能な調整ネジ１６が取り付けられる。【選択図】図３
2008244973.tif 000002
【特許請求の範囲】
【請求項１】
コンタクトガラスを備えた本体と、
この本体に対して上下動自在に備えられるスライド基部と、
このスライド基部に枢支されることで前記本体に対して開閉可能なＡＤＦフレームと、
このＡＤＦフレームに配置されるとともに、前記コンタクトガラス上を通過するようにシート状の読取原稿を搬送する自動原稿送り装置と、
前記コンタクトガラス上を通過する読取原稿を読み取る読取部と、
前記ＡＤＦフレームにおいて回動支点に近い側と遠い側の少なくとも２箇所に備えられるとともに、前記ＡＤＦフレームを閉じたときに前記本体側に接触する当たり部と、
前記スライド基部の上下動ストロークの下限を調整可能な調整部材と、
を備えることを特徴とする画像読取装置。
【請求項２】
請求項１に記載の画像読取装置であって、
前記調整部材は調整ネジであることを特徴とする画像読取装置。
【請求項３】
請求項２に記載の画像読取装置であって、
前記スライド基部が上下動ストロークの下限に達すると、このスライド基部に取り付けられている前記調整ネジの下端が前記本体の上面に当接することで、それ以上の前記スライド基部の下降を阻止することを特徴とする画像形成装置。
【請求項４】
請求項１から３までの何れか一項に記載の画像読取装置であって、
前記調整部材にロック機構が備えられていることを特徴とする画像読取装置。
【請求項５】
請求項１から４までの何れか一項に記載の画像読取装置であって、
前記ＡＤＦフレームを開き方向に付勢する付勢バネが備えられていることを特徴とする画像読取装置。
【請求項６】
請求項１から５までの何れか一項に記載の画像読取装置であって、
前記本体はフラットベッドスキャナのプラテンガラスを備え、
前記プラテンガラス上に読取原稿を押さえ付けるための原稿台カバーが、前記ＡＤＦフレームと一体的に前記本体に対して開閉するように構成されていることを特徴とする画像読取装置。
【請求項７】
請求項１から５までの何れか一項に記載の画像読取装置であって、
前記本体は、前記自動原稿送り装置に供給する原稿をセットするための原稿トレイと、前記自動原稿送り装置で搬送された原稿を排出する排紙トレイと、を備え、
前記ＡＤＦフレームを開いたときに、当該ＡＤＦフレームが前記原稿トレイ及び前記排紙トレイから分離することを特徴とする画像読取装置。
【請求項８】
請求項１から７までの何れか一項に記載の画像読取装置としてのファクシミリ装置。
【発明の詳細な説明】
【技術分野】
【０００１】
本発明は、自動原稿送り装置により原稿を搬送しながら読み取る画像読取装置に関する。
【背景技術】
【０００２】
この種の画像読取装置は、例えば特許文献１に開示されている。この特許文献１の画像読取装置は、画像読取手段を具備する装置本体と自動搬送機構（自動原稿送り装置）とを備え、この自動搬送機構により、原稿トレイから前記装置本体の読取位置を経て排紙トレイへ原稿を搬送するように構成されている。この自動原稿搬送機構を収納するＡＤＦフレームが、本体の上面に、ヒンジ部材を介して開閉自在に設けられる。
【０００３】
特許文献１の構成において、前記ヒンジ部材は、ＡＤＦフレームの一端側に固定されるフレーム支持部と、装置本体に所定範囲で上下動可能に取り付けられる基部と、が枢着されて構成されている。また、前記ＡＤＦフレームには、装置本体の上面と当接してＡＤＦフレームの位置決めを行う凸部が少なくとも３箇所に設けられる。
【０００４】
特許文献１は、以上の構成により、ＡＤＦフレームを閉じたときに前記凸部が装置本体の上面と当接して位置決め作用を行い、当該ＡＤＦフレームを画像読取手段の読取ラインに対して正確な位置に閉じることができるとする。
【特許文献１】特開２００５−２６９４５０号公報
【発明の開示】
【発明が解決しようとする課題】
【０００５】
しかし、上記特許文献１の構成は、ＡＤＦフレームを覆う樹脂製カバーの反りや、前記ヒンジ部材の基部の動きによっては、３箇所の前記凸部の何れかが装置本体の上面から浮いてしまって、ＡＤＦフレームを装置本体に対し正確な位置に閉じることができない場合があった。これにより、自動搬送装置の原稿搬送経路の位置決めが不十分になり、読取画像に歪みが生じたり、原稿詰まりが発生したりするおそれがあった。
【課題を解決するための手段及び効果】
【０００６】
本発明の解決しようとする課題は以上の如くであり、次にこの課題を解決するための手段とその効果を説明する。
【０００７】
本発明の観点によれば、以下の構成の画像読取装置が提供される。即ち、コンタクトガラスを備えた本体と、この本体に対して上下動自在に備えられるスライド基部と、このスライド基部に枢支されることで前記本体に対して開閉可能なＡＤＦフレームと、このＡＤＦフレームに配置されるとともに、前記コンタクトガラス上を通過するようにシート状の読取原稿を搬送する自動原稿送り装置と、前記コンタクトガラス上を通過する読取原稿を読み取る読取部と、前記ＡＤＦフレームにおいて回動支点に近い側と遠い側の少なくとも２箇所に備えられるとともに、前記ＡＤＦフレームを閉じたときに前記本体側に接触する当たり部と、前記スライド基部の上下動ストロークの下限を調整可能な調整部材と、を備える。
【０００８】
これにより、ＡＤＦフレームの反り等により前記当たり部が本体側から離間してしまっても、スライド基部の上下動ストロークの下限を調整部材により調整することで、再び当たり部を本体側に接触させ、ＡＤＦフレームを本体に対して良好に位置決めすることができる。この結果、自動原稿送り装置による安定した原稿搬送が実現される。
【０００９】
前記の画像読取装置においては、前記調整部材は調整ネジであることが好ましい。
【００１０】
これにより、スライド基部の上下動ストロークの下限位置の微妙な調整を、調整ネジの回転によるネジ移動によって容易に行うことができる。
【００１１】
前記の画像形成装置においては、前記スライド基部が上下動ストロークの下限に達すると、このスライド基部に取り付けられている前記調整ネジの下端が前記本体の上面に当接することで、それ以上の前記スライド基部の下降を阻止することが好ましい。
【００１２】
これにより、スライド基部の上下動ストロークの下限を簡素な構成で調整することができる。
【００１３】
前記の画像読取装置においては、前記調整部材にロック機構が備えられていることが好ましい。
【００１４】
これにより、スライド基部の上下動ストロークの下限が意に反して変わってしまわないようにロックすることができ、ＡＤＦフレームを安定して位置決めすることができる。
【００１５】
前記の画像読取装置においては、前記ＡＤＦフレームを開き方向に付勢する付勢バネが備えられていることが好ましい。
【００１６】
これにより、ＡＤＦフレームの重量をキャンセルして開閉を容易にすることができる。また、本構成では、ＡＤＦフレームの回動支点から遠い側の当たり部が特に浮き上がってしまい易い傾向があるが、本発明によれば、当たり部の浮き上がりを調整部材によって容易に解消することができる。
【００１７】
前記の画像読取装置においては、以下の構成とすることが好ましい。即ち、前記本体はフラットベッドスキャナのプラテンガラスを備える。前記プラテンガラス上に読取原稿を押さえ付けるための原稿台カバーが、前記ＡＤＦフレームと一体的に前記本体に対して開閉するように構成されている。
【００１８】
これにより、簡素な構成で、原稿搬送の安定性に優れたオートドキュメントフィーダ及びフラットベッド兼用のスキャナを提供することができる。また、ＡＤＦフレームは原稿台カバーと一体的に構成されるので、大型の部品となって反り等の影響も受け易くなるが、スライド基部のストロークの調整によってＡＤＦフレームを安定して位置決めすることができる。
【００１９】
前記の画像読取装置においては、以下の構成とすることが好ましい。即ち、前記本体は、前記自動原稿送り装置に供給する原稿をセットするための原稿トレイと、前記自動原稿送り装置で搬送された原稿を排出する排紙トレイと、を備える。前記ＡＤＦフレームを開いたときに、当該ＡＤＦフレームが前記原稿トレイ及び前記排紙トレイから分離する。
【００２０】
これにより、簡素な構成で、原稿搬送の安定性に優れたオートドキュメントフィーダ式のスキャナを提供することができる。
【００２１】
本発明の他の観点によれば、前記の画像読取装置としてのファクシミリ装置が提供される。
【発明を実施するための最良の形態】
【００２２】
次に、発明の実施の形態を説明する。図１は本発明の一実施形態に係るコピーファクシミリ複合機の全体的な構成を示す正面断面図、図２はコピーファクシミリ複合機の外観斜視図、図３は図１のＡ−Ａ線断面矢視図、図４はＡＤＦフレームを枢支するヒンジ機構の拡大断面図である。
【００２３】
図１及び図２に示すように、画像読取装置及びファクシミリ装置としてのコピーファクシミリ複合機１０１は、読取原稿を載置する透明なプラテンガラス１０２が配設されたスキャナ本体（本体）１０３と、この読取原稿を前記プラテンガラス１０２上に押圧した状態で保持するための原稿台カバー１０４と、原稿の読取開始等を指示するための操作パネル１０５（図２）と、を備えている。
【００２４】
前記スキャナ本体１０３の下方には筐体部１０６が配置されており、この筐体部１０６は、記録媒体としての用紙に画像を記録する図略の画像記録部や、通信回線を介して画像データを伝送するための図略の送受信部等を内蔵している。
【００２５】
前記原稿台カバー１０４にはＡＤＦフレーム１０９が一体的に形成されており、このＡＤＦフレーム１０９にオートドキュメントフィーダ（自動原稿送り装置）１０７が配設されている。
【００２６】
具体的には図１に示すように、前記ＡＤＦフレーム１０９の内部には、湾曲状の原稿搬送経路１１３が構成されている。この原稿搬送経路１１３は、前記原稿台カバー１０４に備えられた原稿トレイ１１１と排紙トレイ１１２とを互いに接続するように形成されている。
【００２７】
前記ＡＤＦフレーム１０９の内部において、前記原稿搬送経路１１３には、原稿トレイ１１１上の読取原稿を繰り込むためのピックアップローラ５１と、読取原稿を１枚ずつ分離するための分離ローラ５２及び分離パッド５３と、読取原稿を原稿読取位置Ｐに向けて搬送するための搬送ローラ５５と、読取後の原稿を排紙トレイ１１２へ排出するための排紙ローラ５８と、が備えられている。
【００２８】
前記原稿読取位置Ｐにおいては、原稿搬送経路１１３に前記プラテンガラス１０２が隣接している。以下、特にこの部分のプラテンガラスをコンタクトガラス１０８と称する。
【００２９】
上記の構成で、原稿トレイ１１１に重ねてセットされた読取原稿は、１枚ずつ分離されて湾曲状の前記原稿搬送経路１１３に沿って搬送され、原稿読取位置Ｐ（コンタクトガラス１０８の位置）を通過して後述のスキャナユニット２１によって読み取られた後、排紙トレイ１１２へ排出される。
【００３０】
図１に示すように、前記スキャナ本体１０３の内部にはスキャナユニット（読取部）２１が備えられる。このスキャナユニット２１はキャリッジ３０を備え、このキャリッジ３０には、読取原稿に対して光を照射する蛍光ランプと、読取原稿からの反射光を反射させる複数の反射ミラーと、反射光を収束させる集光レンズと、この収束光を電気信号に変換して出力する電荷結合素子（ＣＣＤ）と、が備えられる。
【００３１】
この構成で、前記原稿読取位置Ｐ（前記コンタクトガラス１０８）に対応する位置に前記キャリッジ３０を予め移動させた状態で、オートドキュメントフィーダ１０７を駆動する。すると、原稿搬送経路１１３を搬送される読取原稿が原稿読取位置Ｐにおいてスキャナユニット２１により走査される。
【００３２】
また、コピーファクシミリ複合機１０１をフラットベッドスキャナとして使用する場合は、図略の駆動機構によりキャリッジ３０をプラテンガラス１０２に沿って一定の速度で移動させながら、当該プラテンガラス１０２上に載置された読取原稿を走査する。これにより、スキャナユニット２１が原稿内容を読み取ることができる。
【００３３】
そして、前記スキャナユニット２１により読み取られた原稿の内容は、適宜の変換処理後に前記画像記録部に送られて印刷されたり、前記送受信部によって他のファクシミリ装置へ通信回線を介して送信されたりする。
【００３４】
次に、前記原稿台カバー１０４（ＡＤＦフレーム１０９）をスキャナ本体１０３に対して開閉自在とするためのヒンジ機構の構成を説明する。図２に示すように、前記スキャナ本体１０３の上面において装置奥側の左右２箇所には、それぞれスライド孔１１，１１が開口されている。このスライド孔１１，１１のそれぞれには、スライド基部１２，１２が上下動自在に嵌合される。
【００３５】
図１のＡ−Ａ断面矢視図としての図３に示すように、スライド基部１２は角棒状に細長く形成されており、その上端部近傍には鍔部１５が形成されている。また、スライド基部１２の上端部には、フレーム支持部１３がヒンジピン１４を介して回動自在に枢支される。このフレーム支持部１３は、図略の固定ネジによって原稿台カバー１０４の一端に固定される。
【００３６】
以上の構成で、例えばプラテンガラス１０２上に厚みのあるブック原稿を載置してフラットベッドスキャナで読み取るような場合は、スライド基部１２がスライド孔１１から抜けるように上向きに若干引き出されて、原稿台カバー１０４のヒンジ支点の位置を高くすることができる。この結果、厚いブック原稿をプラテンガラス１０２に対して真っ直ぐ押し付けることができ、読取画像の歪みが防止される。
【００３７】
図３に図示したヒンジ機構の拡大断面図が図４に示される。この図４で示すように、前記スライド基部１２は有底中空状に構成され、この内部に付勢バネ１８が配置される。この付勢バネ１８は、スライド基部１２の内部空間内にスライド自在に設けられた押上げ部材１９を介して、フレーム支持部１３を常時押し上げている。これにより、ＡＤＦフレーム１０９（原稿台カバー１０４）の重量を付勢バネ１８の押上げ力によってキャンセルし、ユーザがＡＤＦフレーム１０９及び原稿台カバー１０４を小さな力で開閉できるようになっている。
【００３８】
前記スライド基部１２に形成された鍔部１５にはネジ孔が上下方向に形成され、このネジ孔に調整ネジ（調整部材）１６が螺設されている。この調整ネジ１６の下端部は前記スキャナ本体１０３の上面に当接されており、これによって、前記スライド基部１２の上下動ストロークの下限が決定される。
【００３９】
本実施形態において、この調整ネジ１６は六角穴付き止めネジに構成されており、その上端部（頭部）に形成された図略の六角穴に工具を差し込んで回転できるようになっている。また、前記調整ネジ１６には円板状のロックナット１７が取り付けられている。
【００４０】
次に、オートドキュメントフィーダ１０７の原稿搬送経路１１３を前記コンタクトガラス１０８に対して位置決めするための構成を説明する。即ち、図２や図３に示すように、前記ＡＤＦフレーム１０９の下面には２つの位置決め突起（当たり部）３１，３２が、下方へ突出形成されている。具体的には、ＡＤＦフレーム１０９の回動中心（ヒンジピン１４）から近い側に第１位置決め突起３１が、遠い側に第２位置決め突起３２が、それぞれ設けられている。
【００４１】
図３に示すように、２つの位置決め突起３１，３２は、コンタクトガラス１０８を挟むように、装置奥側と正面側の両方に設けられている。そして位置決め突起３１，３２は、前記ＡＤＦフレーム１０９を閉じたときには、図３に示すように両方ともスキャナ本体１０３の上面に接触する。これによりＡＤＦフレーム１０９は、コンタクトガラス１０８とＡＤＦフレーム１０９との間に所定の隙間を形成し、かつ、当該ＡＤＦフレーム１０９内に形成されている前記原稿搬送経路１１３がコンタクトガラス１０８と平行になるように、正確に位置決めされる。
【００４２】
なお、本実施形態において、ＡＤＦフレーム１０９や原稿台カバー１０４は、その大部分が合成樹脂で構成されている。このため、経時変化や温度変化等によって、ＡＤＦフレーム１０９に多少の反りや歪み等が発生することがある。また、前記ＡＤＦフレーム１０９は付勢バネ１８によって開き方向へ常時付勢されているため、特にヒンジピン１４から遠い側にある第２位置決め突起３２がスキャナ本体１０３の上面から浮き上がるように離間し、ＡＤＦフレーム１０９が傾いてしまうことがある。この結果、オートドキュメントフィーダ１０７がコンタクトガラス１０８に対して原稿を真っ直ぐ搬送できなくなり、読取時の画像の歪みや原稿詰まりの原因となってしまう。
【００４３】
この点、本実施形態では、第２位置決め突起３２が浮き上がったときは、図４に示す調整ネジ１６のロックナット１７を緩めた上で、調整ネジ１６を適宜の工具で回転させれば良い。すると、鍔部１５からの調整ネジ１６の下方突出量が徐々に増大するので、スライド基部１２がスライド孔１１から抜けるように相対的に上昇する。この結果、ＡＤＦフレーム１０９の回動支点（前記ヒンジピン１４）が上昇するので、ＡＤＦフレーム１０９は第１位置決め突起３１を中心に僅かに回動してその傾きを修正し、第２位置決め突起３２を再びスキャナ本体１０３の上面に接触させることができる。
【００４４】
そして、上記の状態で前記ロックナット１７を締め付け、前記調整ネジ１６が意に反して動かないように固定する（ダブルナット）。この結果、ＡＤＦフレーム１０９を再び正確にコンタクトガラス１０８に対して位置決めできるようになるので、読取画質の低下を防止することができる。
【００４５】
以上に示すように、本実施形態のコピーファクシミリ複合機１０１は、コンタクトガラス１０８を備えたスキャナ本体１０３と、このスキャナ本体１０３に対して上下動自在に備えられるスライド基部１２と、このスライド基部１２にヒンジピン１４を介して枢支されることで前記スキャナ本体１０３に対して開閉可能なＡＤＦフレーム１０９と、を備える。そして、ＡＤＦフレーム１０９には、前記コンタクトガラス１０８上を通過するようにシート状の読取原稿を搬送するオートドキュメントフィーダ１０７が配置される。また、前記コピーファクシミリ複合機１０１は、前記コンタクトガラス１０８上を通過する読取原稿を読み取るスキャナユニット２１を備える。また、前記ＡＤＦフレーム１０９には、回動支点に近い側と遠い側の少なくとも２箇所に位置決め突起３１，３２が備えられ、この位置決め突起３１，３２は前記ＡＤＦフレーム１０９を閉じたときに前記スキャナ本体１０３側に接触するように構成している。また、コピーファクシミリ複合機１０１は、前記スライド基部１２の上下動ストロークの下限を調整可能な調整ネジ１６を備えている。
【００４６】
これにより、ＡＤＦフレーム１０９に反り等が生じて位置決め突起３１，３２がスキャナ本体１０３の上面から浮き上がってしまっても、スライド基部１２の上下動ストロークの下限を調整ネジ１６により調整することで、再び位置決め突起３１，３２をスキャナ本体１０３の上面に当接させ、ＡＤＦフレーム１０９を良好に位置決めすることができる。
【００４７】
また、本実施形態では、前記スライド基部１２の上下動ストロークの下限は調整ネジ１６によって調整するように構成されている。
【００４８】
これにより、スライド基部１２の上下動ストロークの下限位置の微妙な調整を、調整ネジ１６の回転によるネジ移動によって容易に行うことができる。
【００４９】
また、本実施形態では、調整ネジ１６はスライド基部１２に取り付けられている。そして、スライド基部１２が上下動ストロークの下限に達すると、前記調整ネジ１６の下端が前記スキャナ本体１０３の上面に当接することで、それ以上の前記スライド基部１２の下降を阻止するように構成されている。
【００５０】
これにより、スライド基部１２の上下動ストロークの下限を簡素な構成で調整することができる。
【００５１】
また、本実施形態では、ロックナット１７からなるロック機構が前記調整ネジ１６に備えられている。
【００５２】
これにより、スライド基部１２の上下動ストロークの下限が意に反して変わってしまわないようにロックすることができ、ＡＤＦフレーム１０９を安定して位置決めすることができる。
【００５３】
また、本実施形態では、前記ＡＤＦフレーム１０９（原稿台カバー１０４）を開き方向に付勢する付勢バネ１８が備えられている。
【００５４】
この構成では、ＡＤＦフレーム１０９の重量をキャンセルして開閉を容易にすることができるが、ＡＤＦフレーム１０９の回動支点から遠い側の第２位置決め突起３２が、特に浮き上がってしまい易い傾向がある。しかしながら本実施形態では、調整ネジ１６によって第２位置決め突起３２の浮き上がりを容易に解消することができる。
【００５５】
また、本実施形態のコピーファクシミリ複合機１０１は、前記スキャナ本体１０３にフラットベッドスキャナのプラテンガラス１０２を備える。そして、前記プラテンガラス１０２上に読取原稿を押さえ付けるための原稿台カバー１０４が、前記ＡＤＦフレーム１０９に一体形成されている。
【００５６】
これにより、オートドキュメントフィーダ及びフラットベッド兼用のスキャナを簡素に構成することができる。また、ＡＤＦフレーム１０９は原稿台カバー１０４と一体的に構成されるので、大型の部品となって反り等の影響も受け易くなるが、スライド基部１２のストロークの調整によってＡＤＦフレーム１０９を安定して位置決めすることができる。
【００５７】
なお、上記のスライド基部１２のストローク調整機構は、図５に示すようなイメージスキャナ装置にも適用することができる。なお、図５の構成の説明において、前述の実施形態の構成と同一又は類似の部材については同じ符号を付し、説明を省略する。
【００５８】
図５に示すイメージスキャナ装置２０１はオートドキュメントフィードスキャナ専用に構成され、フラットベッドスキャナは省略されている。
【００５９】
従って、原稿台カバーは省略されており、原稿トレイ１１１及び排紙トレイ１１２はスキャナ本体１０３側に備えられる。そして、ＡＤＦフレーム１０９が単独で本体に対して開閉可能に備えられる。
【００６０】
スキャナ本体１０３にはスライド孔１１，１１が形成され、それぞれのスライド孔１１にスライド基部１２が挿入されている。このスライド基部１２の上端部にヒンジピン１４を介してフレーム支持部１３が枢支されており、このフレーム支持部１３はＡＤＦフレーム１０９の一端部に固定される。
【００６１】
また、前記ＡＤＦフレーム１０９の下面には、前記ヒンジピン１４に近い側に第１位置決め突起３１が形成され、遠い側に第２位置決め突起３２が形成される。ＡＤＦフレーム１０９を図５の状態から閉じたときは、２つの位置決め突起３１，３２がスキャナ本体１０３の上面に接触して、ＡＤＦフレーム１０９を位置決めする。
【００６２】
図５では図示しないが、上記のヒンジ機構には、上述の実施形態（図４）と同様の構成の調整ネジ１６とロックナット１７からなる、スライド基部１２のストローク下限位置調整機構が備えられる。
【００６３】
以上に示すように、図５の構成のイメージスキャナ装置２０１において、スキャナ本体１０３は、前記オートドキュメントフィーダ１０７に供給する原稿をセットするための原稿トレイ１１１と、前記オートドキュメントフィーダ１０７で搬送された原稿を排出する排紙トレイ１１２と、を備える。そして、ＡＤＦフレーム１０９を開いたときに、図５に示すように、当該ＡＤＦフレーム１０９が前記原稿トレイ１１１及び前記排紙トレイ１１２から分離するように構成されている。
【００６４】
そして、ＡＤＦフレーム１０９はスライド基部１２やヒンジピン１４、フレーム支持部１３等からなるヒンジ機構を介してスキャナ本体１０３に開閉自在に支持される。また、前記スライド基部１２にはストローク下限位置調整機構が設けられている。
【００６５】
以上により、スキャナ本体１０３のコンタクトガラス１０８にＡＤＦフレーム１０９を対し安定して位置決めすることができる。
【００６６】
以上に本発明の好適な実施形態及びその変形例を説明したが、以上の構成は例えば以下のように変更することができる。
【００６７】
調整ネジ１６は、スライド基部１２に取り付ける代わりにスキャナ本体１０３側に取り付けることができる。
【００６８】
付勢バネ１８は、スライド基部１２の内部に配置することに代えて、例えばフレーム支持部１３内に配置したり、ＡＤＦフレーム１０９に配置したりすることができる。
【００６９】
調整ネジ１６は、六角穴付き止めネジに構成することに代えて、例えば蝶ネジに変更することができる。また、調整ネジ１６を設ける代わりに、例えばウォームギアとラックを用いて位置を上下方向に微調整可能な調整ピンを調整部材として設けることができる。
【００７０】
位置決め突起３１，３２の数は２つに限定されず、３つ以上設けるように変更することができる。また、その配設位置も事情に応じて適宜変更することができる。
【００７１】
前記位置決め突起３１，３２の形状は種々変更することができる。また、ＡＤＦフレーム１０９側に位置決め突起３１，３２を形成する代わりに、スキャナ本体１０３側に位置決め突起を設け、ＡＤＦフレーム１０９には当たり部としての当接面を設ける構成に変更することができる。
【００７２】
スライド基部１２の形状は、角棒状とすることに限らず、例えば丸棒状に構成するなど、任意に変更することができる。また、ＡＤＦフレーム１０９を、フレーム支持部１３を介して枢支するのではなく、ヒンジピン１４に直接枢支する構成に変更することができる。
【００７３】
ＡＤＦフレーム１０９（原稿台カバー１０４）を枢支するヒンジ機構は、図２や図５のように２つ備える場合に限定されず、１つだけ、又は３つ以上備えるように変更することができる。また、ヒンジ機構を複数備える場合、その全てに前記調整ネジ１６によるストローク下限位置調整機構を備えても良いし、一部にだけ備えてもよい。
【００７４】
図１の構成で、プラテンガラス１０２とコンタクトガラス１０８は一体に構成しているが、これに代えてコンタクトガラス１０８をプラテンガラス１０２と別体に構成するように変更することができる。
【００７５】
前記実施形態の構成は、コピーファクシミリ複合機１０１やイメージスキャナ装置２０１に限らず、コピー機能のみ又はファクシミリ機能のみを単独で備えるコピー装置やファクシミリ装置等にも適用することができる。
【図面の簡単な説明】
【００７６】
【図１】本発明の一実施形態に係るコピーファクシミリ複合機の全体的な構成を示した正面断面図。
【図２】コピーファクシミリ複合機の外観斜視図。
【図３】図１のＡ−Ａ線断面矢視図。
【図４】ＡＤＦフレームを枢支するヒンジ機構の拡大断面図。
【図５】他の実施形態に係るイメージスキャナ装置の全体的な構成を示す斜視図。
【符号の説明】
【００７７】
１２  スライド基部
１３  フレーム支持部
１４  ヒンジピン
１６  調整ネジ（調整部材）
１７  ロックナット（ロック機構）
２１  スキャナユニット（読取部）
３１，３２  位置決め突起（当たり部）
１０１  コピーファクシミリ複合機（ファクシミリ装置、画像読取装置）
１０２  プラテンガラス
１０３  スキャナ本体
１０４  原稿台カバー
１０７  オートドキュメントフィーダ（自動原稿送り装置）
１０８  コンタクトガラス
１０９  ＡＤＦフレーム
１１１  原稿トレイ
１１２  排紙トレイ
１１３  原稿搬送経路
２０１  イメージスキャナ装置（画像読取装置）
【図１】
2008244973.tif 000003
【図２】
2008244973.tif 000004
【図３】
2008244973.tif 000005
【図４】
2008244973.tif 000006
【図５】
2008244973.tif 000007